(57)【特許請求の範囲】
【請求項１】
背もたれが、着座者の体圧を受ける背板と、前記背板が取り付いたバックサポートとを有しており、前記背板のうち着座者の腰部又はその周辺部に当たる部分は最も前に突出したランバーサポート部になっている、という構成であって、
前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっており、前記オーバーハング部は着座者の体圧で撓み変形可能になっている、
椅子。
【請求項２】
前記背板のオーバーハング部は、着座者の体圧により、前記バックサポートの頂点部を中心にして回動する、
請求項１に記載した椅子。
【請求項３】
前記背板は合成樹脂の成形品であって、左右のサイドメンバーとこれらの間に多段に配置された横長サポート板の群とを有しており、前記背板のオーバーハング部は、これを構成するサイドメンバーが着座者の体圧で曲がり変形可能であると共に、横長サポート板も着座者の体圧で後ろ向きに移動するような状態に撓み変形可能になっており、かつ、サイドメンバーよりも横長サポート板が容易に撓み変形する強度設定になっている、
請求項１又は２に記載した椅子。
【請求項４】
背もたれが、着座者の体圧を受ける背板と、前記背板が取り付いたバックサポートとを有しており、前記背板のうち着座者の腰部又はその周辺部に当たる部分は最も前に突出したランバーサポート部になっている、という構成であって、
前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっている、
椅子。
【請求項５】
背もたれが、着座者の体圧を受ける背板と、前記背板が取り付いたバックサポートとを有しており、前記背板のうち着座者の腰部又はその周辺部に当たる部分は最も前に突出したランバーサポート部になっている、という構成であって、
前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっており、前記背板のオーバーハング部は、着座者の体圧により、前記バックサポートの頂点部を中心にして回動する、
椅子。
【請求項６】
背もたれが、着座者の体圧を受ける背板と、前記背板が取り付いたバックサポートとを有しており、前記背板のうち着座者の腰部又はその周辺部に当たる部分は最も前に突出したランバーサポート部になっている、という構成であって、
前記背板のうち前記ランバーサポート部を含む下部を除いた部分は、その全体が前記バックサポートに対して離れない状態に取り付けられている一方、前記背板のうち前記ランバーサポート部を含む下部は、前記バックサポートから片持ち梁の状態で下方に張り出したオーバーハング部になっており、前記オーバーハング部は、前記ランバーサポート部に掛かった着座者の体圧で撓み変形可能になっている、
椅子。
【発明の詳細な説明】
【技術分野】
【０００１】
本願発明は、背もたれ付きの椅子に関するものである。
【背景技術】
【０００２】
椅子の背もたれや座の構造は千差万別であるが、例えば事務用に多用される回転椅子の場合は、合成樹脂製のインナーシェル（背板、座板）を使用し、その前面にクッション材を張っていることが多い。
【０００３】
他方、椅子の背もたれについては、着座者の腰部を的確に支えるランバーサポート機能が重視されており、その一環として特許文献１には、背板を背支持体に取り付けている椅子において、背板のうちランバーサポート部よりも上方の部分を背支持体に固定して、背板のうちランバーサポート部を含む下部を、その上端を中心にして前後回動し得る可動部に構成し、ロッキング時に背板の下部を上部に対して相対的に前向き回動させることが開示されている。
【先行技術文献】
【特許文献】
【０００４】
【特許文献１】特開２００８−１８３３５６号公報
【発明の概要】
【発明が解決しようとする課題】
【０００５】
特許文献１はロッキング時における身体支持機能の充実を意図したものと言えるが、ロッキングに際して背板（背もたれ）の下部が上部に対して強制的に前進すると、着座者が腰部に強い圧迫感を感じることがある。従って、クッション性やフィット性の点からは、背もたれは、ランバーサポート部が体圧で後退するように撓み変形するのが好ましいと言える。
【０００６】
本願発明はこのような現状に鑑み成されたもので、ランバーサポート機能は的確に発揮しつつクッション性・フィット性に優れた椅子を簡単な構造で提供せんとするものである。
【課題を解決するための手段】
【０００７】
本願発明の背もたれは、「着座者の体圧を受ける背板と、前記背板が取り付いたバックサポートとを有しており、前記背板のうち着座者の腰部又はその周辺部に当たる部分は最も前に突出したランバーサポート部になっている」という基本構成になっている。
そして、請求項１の発明では、上記基本構成において、前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっており、前記オーバーハング部は着座者の体圧で撓み変形可能になっている。
【０００８】
請求項２の発明では、請求項に１において、前記背板のオーバーハング部は、着座者の体圧により、前記バックサポートの頂点部を中心にして回動するようになっている。
請求項３の発明は請求項１又は２を具体化したものであり、この発明では、前記背板は合成樹脂の成形品であって、左右のサイドメンバーとこれらの間に多段に配置された横長サポート板の群とを有しており、前記背板のオーバーハング部は、これを構成するサイドメンバーが着座者の体圧で曲がり変形可能であると共に、横長サポート板も着座者の体圧で後ろ向きに移動するような状態に撓み変形可能になっており、かつ、サイドメンバーよりも横長サポート板が容易に撓み変形する強度設定になっている。
【０００９】
請求項４の発明は、前記基本構成において、前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっている。
請求項５の発明は、前記基本構成において、前記バックサポートは、前記背板のランバーサポート部よりも上において最も手前に突出した頂点部を有しており、前記背板のうち前記バックサポートの頂点部よりも上の部分は、その全体が前記バックサポートに対して離れない状態に取り付けられている一方、前記背板のうち前記バックサポートの頂点部より下に位置して前記ランバーサポート部を含む下部は、前記バックサポートの頂点部から片持ち梁の状態で下方に張り出したオーバーハング部になっており、前記背板のオーバーハング部は、着座者の体圧により、前記バックサポートの頂点部を中心にして回動するようになっている。
更に請求項６の発明は、上記基本構成において、前記背板のうち前記ランバーサポート部を含む下部を除いた部分は、その全体が前記バックサポートに対して離れない状態に取り付けられている一方、前記背板のうち前記ランバーサポート部を含む下部は、前記バックサポートから片持ち梁の状態で下方に張り出したオーバーハング部になっており、前記オーバーハング部は、前記ランバーサポート部に掛かった着座者の体圧で撓み変形可能になっている。
【発明の効果】
【００１０】
本願請求項１〜３，５，６では、背もたれは、ランバーサポート部を含むオーバーハング部が着座者の体圧で撓み変形し得るため、着座者の腰部（或いはその周辺部）に対して適度の反力を付与することができ、このためクッション性・フィット性を向上できる。
【００１１】
特に、請求項３のように構成すると、背板のオーバーハング部は横長サポート板の変形によって身体へのフィット性が確保されることに加えて、横長サポート板の撓み変形とサイドメンバーの撓み変形とによって高いクッション性が確保されており、特に好適である。また、非ロッキング状態においても横長サポート板を撓み変形させることが可能であるため、非ロッキング状態でフィット性を向上できる点でも優れている。
【００１２】
さて、ロッキング椅子では、ロッキングに際して座と背もたれとが相対的に離反することで生じる、いわゆる「背ずれ」「シャツ捲れ」の現象がある。この点、実施形態の構成を採用すると、ロッキングに際して背板のオーバーハング部は座の後部に対して離れることなく相対的に下降動するため、「背ずれ」「シャツ捲れ」の現象を的確に阻止することができる。
【図面の簡単な説明】
【００１３】
【図１】第１実施形態に係る椅子の外観図で、（Ａ）は正面図、（Ｂ）は側面図である。
【図２】椅子の斜視図である。
【図３】（Ａ）はロッキングの動きを示す側面図、（Ｂ）は背もたれの分離側面図である。
【図４】椅子を後ろから見た斜視図である。
【図５】分離斜視図であり、（Ａ）は前から見た図、（Ｂ）は後ろから見た図である。
【図６】（Ａ）はサポート体の一部破断正面図、（Ｂ）は（Ａ）の部分拡大図である。
【図７】サポート体の一部破断背面図である。
【図８】平面図である。
【図９】背もたれの破断斜視図である。
【図１０】（Ａ）はサポート体の下部の斜視図、（Ｂ）は図７の XB-XB視断面図、（Ｃ）はサポート体の下部の部分的な平断面図、（Ｄ）は図７の XD-XD視断面図である。
【図１１】サポート体を裏返してバックサポートと並べた部分斜視図である。
【図１２】図１１の部分拡大図である。
【図１３】図１１の部分拡大図である。
【図１４】ロッキング機構を示す分離斜視図である。
【発明を実施するための形態】
【００１４】
次に、本願発明の実施形態を図面に基づいて説明する。本願発明は事務用に多用されている回転椅子に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００１５】
(1).椅子の概略
図１，２に示すように、椅子は、脚支柱（ガスシリンダ）１のみを表示した脚装置、脚支柱１の上端に固定したベース３、ベース３の上方に配置した座４、座４の後ろに配置された背もたれ５を有している。ベース３には、オプション品としての肘掛け装置６を取り付けることができる。図１，２では肘掛け装置６は片方しか表示していないが、左右一対取り付けられる。脚装置は、例えば中心筒から５本の枝杆が放射状に延びているキャスタ付きものなど、各種のものを使用できる。
【００１６】
背もたれ５は、バックサポートの一例としてのバックフレーム７と、バックフレーム７の前面に取り付けた背板（インナーシェル）８とを強度メンバーとしており、背板８の前面にクッション体９を張っている（図１（Ｂ）や図２ではクッション体９は表示していない。）。バックフレーム７は、ベース３に後傾動可能に連結されている。クッション体９の前面はクロス等の表皮材１０で覆われているが、図９や図１０（Ｂ）に示すように、表皮材１０は袋状に構成されており、クッション体９と背板８とを袋状の表皮材１０で覆っている。従って、背板８はその全体が露出しておらず、人が外から視認することはできない。
【００１７】
背板８をメッシュ製の袋のみで覆ってこれをバックフレーム７に取り付けたり、クッション体９やメッシュ材を取り付けずに背板８をむき出しにして、背板８で身体を直接に支持することも可能である。更に、透けて見えるメッシュ製等の化粧シートを背板８の前面のみに張って、背板８の背面は露出させることも可能である。この場合は、背板８の形態が前からも透けて見える。
【００１８】
本実施形態の椅子は背もたれ５が後傾するロッキングタイプであり、図３に一点鎖線で示すように、着座者が背もたれ５に凭れ掛かると座４は若干の寸法だけ持ち上げられつつ後退する。つまり、着座者の体重が背もたれ５の後傾動に対する抵抗として作用する。ベース３の内部には、ロッキングに対して抵抗を付与する弾性体が内蔵されている。従って、正確に述べると、ロッキングは、弾性体の弾性復元力と着座者の荷重とに抗して行われる。ロッキング機構については後述することとし、先に背もたれ５を説明する。
【００１９】
(2).バックフレームの基本構造
図５や図１４に示すように、バックフレーム７は、その左右側部を構成する上下長手の左右サイドフレーム１２と、左右サイドフレーム１２の上端に繋がった横長のアッパーフレーム１３と、左右サイドフレーム１２の下端に繋がった左右長手のロアフレーム１４とを有しており、全体として略四角形で前後に開口した枠状になっている。更に、左右サイドフレーム１２の下端には、ベース３の左右外面に向けて前向きに延びるサイドアーム１５が一体に形成されており、左右のサイドアーム１５には、正面視門型のフロント部材１６が一体に繋がっている。
【００２０】
バックフレーム７はポリプロピレンのような合成樹脂を材料にした成形品を使用しているが、アルミダイキャスト品を採用することも可能である。また、例えばサイドアーム１５を別部材にするなど、複数の部材で構成することも可能である。例えば図８に明示するように、バックフレーム７のアッパーフレーム１３は、その左右側部だけに背板８が取り付くように平面視で大きく前向き開口した状態に形成されている。換言すると、バックフレーム７のアッパーフレーム１３と背板８との間に横長の穴が空いている。このため、人はバックフレーム７のアッパーフレーム１３に掴むことができるのみならず、背板８の上端部が弾性変形することも可能になっている。
【００２１】
図１（Ｂ）や図３（Ａ）に明瞭に表示されているように、バックフレーム７のサイドフレーム１２は、着座者の腰よりやや高い位置の部分が最も前となるように側面視で前向き突形に屈曲している。換言するとバックフレーム７のサイドフレーム１２は側面視でくの字形に屈曲しており、このためサイドフレーム１２は頂点部１７を有している。背板８はバックフレーム７の頂点部１７よりも下方の部位ではバックフレーム７に取り付いておらず片持ち梁の状態になっている。従って、背板８のうちバックフレーム７の頂点部１７よりも下方の部位はオーバーハング部８ａになっている。
【００２２】
また、バックフレーム７のサイドフレーム１２は、着座者が凭れ掛かっていないニュートラル状態で頂点部１７よりも上の部分は後傾姿勢になって、頂点部１７より下方の部分は前傾姿勢になっている。頂点部１７より上方の部分が鉛直線に対して後傾した角度よりも、頂点部１７より下方の部分が鉛直線に対して前傾した角度がやや大きくなっている。アッパーフレーム１３とロアフレーム１４とは、平面視で前向き凹状に緩く湾曲している。
【００２３】
(3).背板の基本構造
背板８はポリプロピレンのような合成樹脂製を材料にした成形品であり、上下長手の左右のサイドメンバー１９と、サイドメンバー１９の上端間に一体に繋がったアッパーメンバー２０と、左右サイドメンバー１９の下端に一体に繋がったロアメンバー２１とで略四角形の枠体が構成されており、更に、枠体の内部には、左右サイドメンバー１９に繋がった横長サポート板２２が多段に配置されている。
【００２４】
例えば図１０（Ｄ）に示すように、横長サポート板２２における付け根の裏面には、平面視で湾曲した隅肉２２が形成されている。これにより、横長サポート板２２の付け根に応力が集中することが防止されると共に、横長サポート板２２がその付け根寄りのある程度の範囲で撓み変形することが許容されている。
【００２５】
上下に隣り合った横長サポート板２２の間、及び、最上段の横長サポート板２２とアッパーメンバー２０との間、並びに最下段の横長サポート板２２とロアメンバー２１との間にはそれぞれ横長の空間２３が空いている。各横長サポート板２２は基本的には帯板の外観を呈しており、広幅面が前後に向いている。
【００２６】
例えば図１（Ｂ）や図３（Ａ）を例示して述べたように、背板８はバックフレーム７の頂点部１７よりも下方の部位でオーバーハング部８ａになっているが、より詳細に述べると、背板８は、バックフレーム７の頂点部１７よりもやや下の部分が最も前となるように側面視で前向き突形に曲がっている。つまり、背板８は着座者の腰部（或いは腰より少し上の部分）を的確に支えるランバーサポート部８ｂを有しており、しかも、ランバーサポート部８ｂはオーバーハング部８ａに設けている。背板８のランバーサポート部８ｂは、その上端を中心にして後ろ向きに回動するように曲がり変形し得る。
【００２７】
図８及び図１０に示すように、背板８８の前面は前向き凹状にごく緩い曲率で凹んでおり（湾曲しており）、その凹みの程度はランバーサポート部８ｂにおいて最も大きく、最上段の横長サポート板２２の箇所では平坦に近い状態になっている。これは、主として、身体を包むような外観となすことで人に好ましい印象を与えるという視覚的な効果を狙ったものであるが、人の腰の部分は平面視で丸みを持っていて背中は平坦に近い状態になっているという身体的特性に対応しているという側面もある。各横長サポート板２２を平面視で直線状の形態に成すことも可能である。
【００２８】
各横長サポート板２２は帯板の外観を呈しているが、例えば図６に示すように、上下に隣り合った横長サポート板２２の左右付け根寄り部位は、空間２３を上下に横切るジョイント２４で連結されている。更に、上下に隣り合ったジョイント２４は左右に交互に位置ずれて配置されており、かつ、各横長サポート板２２には、ジョイント２４を上下から挟むような状態で、略Ｌ形の内向きスリット２５と外向きスリット２６とを形成している。内向きスリット２５は背板８の縦長中心線に向かって延びており、外向きスリット２６は背もたれ５の外側縁に向けて延びている。
【００２９】
上下に隣り合ったジョイント２４は交互に左右にずれているが、背板８の縦長中心線に寄るようにずれたジョイント２４の箇所には上下の内向きスリット２５が形成されて、背板８の外側縁に寄るようにずれたジョイント２４の箇所には上下の外向きスリット２６が形成されており、従って、１本の横長サポート板２２には、内向きスリット２５と外向きスリット２６とが一対ずつ形成されており、その結果、各横長サポート板２２の左右付け根寄り部位には、サイドメンバー１９から横向き突出してのち僅かの寸法だけ段上がり又は段落ちし、それから再び横方向に向かう姿勢の段違い状の巾狭部２７が形成されている。
【００３０】
また、スリット２５，２６が横長サポート板２２の上端面又は下端面に開放されていることにより、巾狭部２７の箇所には横長リップ２４′が形成されており、上下に隣り合った横長リップ２４′がジョイント２４で繋がれている。
【００３１】
本実施形態では、多数の横長サポート板２２の全てに膨らみ部２２ａを設けてはおらず、ランバーサポート部８ｂに位置した横長サポート板２２を中心にした数本に設けており、かつ、膨らみ部２２ａの突出寸法Ｅはランバーサポート部８ｂの箇所において最も高く、ランバーサポート部８ｂから上下に遠ざかるに従って徐々に低くなるように設定している。つまり、横長サポート板２２は、ランバーサポート部８ｂの箇所のものが最も変形しやくすく、ランバーサポート部８ｂから離れるに従って変形しやすさの度合いが低くなっている。全ての横長サポート板２２に膨らみ部２２ａを設けても良いことは勿論である。
【００３２】
図１０（Ｂ）〜（Ｄ）に明示するように、各横長サポート板２２の上端縁には、後ろ向きに突出するリブ２８を一体に形成している。リブ２８は、横長サポート板２２の全長にわたって延びるように形成している。
【００３３】
従って、横長サポート板２２はその左右端部が集中的に変形するようになっており、このため、ロッキングに際して横長サポート板２２は、着座者の腰や背中を後ろから広い面積でサポートしながら後ろに後退するような変形の挙動を採ることになる。その結果、身体の支持安定性とフィット性とをバランスさせながら高いクッション性を確保することができる。
【００３４】
(4).背板とバックフレームとの連結構造
図１１〜１３に示すように、バックフレーム７におけるサイドフレーム１２のうち背板８が重なる部分（後傾部）は前向きに開口した溝形になっている。また、バックフレーム７におけるアッパーフレーム１３のうち、背板８のアッパーメンバー２０と重なる部分も前向き開口の溝形になっている。他方、背板８の各メンバー１９，２０，２１は後ろ向きに開口した溝形になっており、図１０（Ｂ）に示すように、背板８のサイドメンバー１９とバックフレーム７とは重合部において互いに重なりあっている。
【００３５】
この場合、背板８のサイドメンバー１９とバックフレーム７のサイドフレーム１２との重合面に互いに噛み合う段部３０を形成することにより、位置決めと左右方向のずれ防止とを図っている。更に述べると、ロッキングに際して背板８のサイドメンバー１９は左右内側に移動するような外力を受けるので、段部３０は、バックフレーム７のサイドフレーム１２で述べると左右外向きに形成しており、これにより、ロッキングに際して背板８のサイドメンバー１９が左右内側にずれることを防止している。表皮材１０は、背板８とバックフレーム７との間に挟み込まれている。
【００３６】
図１１〜１３に示すように、背板８におけるサイドメンバー１９の溝内には、上下長手で板状の雄形規制体３１が上下離れて３個形成されている。他方、バックフレーム７のサイドフレーム１２には、前記背板８の規制体３１が嵌まる雌形規制体３２が３対形成されている。これら規制体３１，３２が嵌まり合うことにより、背板８はバックフレーム７に対して左右ずれ不能に保持されている。
【００３７】
更に、背板８におけるサイドメンバー１９の溝内には、側面視で下向き鉤形の第１係合爪３３が上下に離反して２個形成されている一方、バックフレーム７のサイドフレーム１２には、係合爪３３と噛み合う上向き鉤形の第２係合爪３４が上下に離反して２個形成されている。これら係合爪３３，３４の噛み合いにより、背板８はバックフレーム７に対して前向き移動不能に保持されている。
【００３８】
更に、図１１及び図１３に示すように、背板８におけるアッパーメンバー２０の左右両端部に側面視下向き鉤形の第３係合爪３５を形成している一方、バックフレーム７におけるアッパーメンバー２０の内側片３６には、前記第３係合爪３５が嵌まる係合穴３７を形成している。
【００３９】
図１３に示すように、バックフレーム７におけるアッパーメンバー２０の作用両側部には、内向き（横向き）に開口した袋状のナット保持部３９が形成されている。このナット保持部３９にはナットが回転不能に嵌まるようになっており、ナットにバックフレーム７の後ろからビス（図示せず）がねじ込まれる。ビスでヘッドレスト（図示せず）が固定される。
【００４０】
ナット保持部３９に空けた前向き開口の穴４０から突出する。他方、背板８８のアッパーメンバー２０のうち第３係合爪３５の左右内側には、ビスに下方から当たることで背板８８を上向き移動不能に保持する上ストッパー４１が形成されている。
【００４１】
上ストッパー４１は、互いに逆方向に延びる下水平壁及び上水平壁とこれらを繋ぐ垂直壁とを有しており、これがバックフレーム１７の空所にきっちりと嵌まり込むことにより、背板８を上下左右にガタ付きのない状態に保持すると共に、ロッキング等に際して第３係合爪３５が変形することを防止してその離脱を阻止している。
【００４２】
例えば図１０（Ｂ）に示すように、背板８のサイドメンバー１９とバックフレーム７のサイドフレーム１２とには、前後位置を規制するための補助ストッパー４２が上下適宜間隔で複数個ずつ設けられている。また、図１２の下部に示すように、バックフレーム７におけるサイドフレーム１２の頂点部１７とこれに対応した背板８のサイドメンバー１９とには、背板８を前向き移動不能に保持する平面視鉤形の下部係合爪３８ａ，３８ｂの対を形成している。
【００４３】
背板８の取り付けは次の手順で行う。すなわち、まず、背板８を上から下に移動させて下部係合爪３８ａ，３８ｂを噛み合わせ、それから背板８を少し持ち上げ気味にして第１係合爪３３と第２係合爪３４とを噛み合わせ、そして、最後に、第３係合爪３５を係合穴３７に嵌め込むのである。これにより、背板８はバックフレーム７に対して上下左右及び前後にずれ不能に保持される。
【００４４】
表皮材１０のうち背板８とバックフレーム１７とで挟まれた部位には補強板材（図示せず）か固定されており、この補強板材が係合爪３３，３４に被嵌している。
【００４５】
(5).ロッキング機構等
次に、図１４に基づいてロッキング機構を簡単に説明しておく。座４は合成樹脂製のインナーシェル（図示せず）の上面にクッション材を張った構造であり、インナーシェルは、樹脂製の中間部材４３に前後位置調節可能に取り付けられている。
【００４６】
中間部材４３は、フロントリンク４４とリアリンク４５とを介してベース３に連結されている。フロントリンク４４はブロック状の外観を呈しており、その下部はベース３の前部に取り付けた左右長手の第１軸４６に上方から嵌まっており、その上部に形成した軸部４７には中間部材４３に形成したフロント軸受け部４８が嵌まっている。
【００４７】
リアリンク４５は金属板製であり、正面視では左右側板を有する下向き開口コの字形になっている。かつ、リアリンク４５の左右両端部には、側板から延長した前向きの軸受け部４５ａを有している。リアリンク４５は、ベース３に左右横長の第２軸４９で回動可能に連結されている。リアリンク４５はベルクランクと同様の機能を有している。リアリンク４５における軸受け部４５ａの前端（先端）には第３軸５０が挿通しており、この第３軸５０に中間部材４３のリア軸受け部５１が嵌まっている。
【００４８】
バックフレーム７におけるサイドアーム１５の前端には、第２軸４９に後ろから嵌まる軸受け穴（図示せず）が形成されており、サイドアーム１５が第２軸４９に嵌まった状態で、サイドアーム１５に一体形成したフロント部材１６がリアリンク４５にねじで固定されている。従って、バックフレーム７はリアリンク４５と一体に回動する。リアリンク４５の後端部でかつ下端部には左右長手の支軸５２が嵌まっており、バックフレーム７のサイドアーム１５は支軸５２で支持されている。
【００４９】
ベース３の後部には、リアリンク４５の下面に固定されたロッキングユニット５３が配置されている。ロッキングユニット５３は弾性体（例えばゴム）に当たるようになっており、バックフレーム７は弾性体の弾性に抗して後傾動する。また、ロアリンク４５には操作ユニット５４が固定されており、操作ユニット５４に設けたレバー５５を回動することにより、ロッキングの強弱調節やロッキング・ロックの切り換えが行われる。
【００５０】
フロントリンク４４は側面視で上が前となるように鉛直姿勢に対して前傾しており、また、第３軸５０は第２軸４９よりも手前に位置している。従って、フロントリンク４４とリアリンク４５とは平行リンク機構に似たリンク機構を構成していると共に、着座者の荷重は両リンク４４，４５を前傾姿勢と成すように作用している。
【００５１】
図１（Ｂ）と図３（Ａ）とに示すように、非ロッキング状態において背板８の下端は座４の後ろに位置している。また、ロッキング時には、座４が上昇して後退することにより、図３（Ａ）に一点差線で示すように、背板８の下端（すなわちオーバーハング部８ａの下端）は、座４の後端の後ろでかつ座面よりも下方に沈んだ状態になっている。従って、座４とオーバーハング部８ａとの相対的な距離は非ロッキング状態でもロッキング状態でもさほど変わっておらず、このため「背ずれ」「シャツ捲れ」の現象を防止できる。
【００５２】
さて、ロッキングすると着座者の上半身は後傾するため、仮にランバーサポート部８ｂによる身体の支持位置が一定であると、ロッキング時にランバーサポート部８ｂによる強い突き上げ感を受ける場合がある。これに対して本実施形態では、ロッキングに際してランバーサポート部８ｂは座４に対して相対的に下降動しているため、ランバーサポート部８ｂによる支持位置が腰部から腰骨に移行する傾向を呈しており、いわば、ランバーサポート部８ｂが身体の傾斜に沿って下降する傾向を呈している。このランバーサポート部８ｂの逃げ作用とオーバーハング部８ａの撓み変形とにより、着座者に快適なロッキング状態を提供できるのである。
【００５３】
図１（Ａ）に一点鎖線で示すように、バックフレーム７のサイドフレーム１２と背板８のオーバーハング部８ａとの間に、弾力を調節するための補助部材１7 ′を取り付けることも可能である。補助部材１７′は椅子の出荷段階で固定しておくことも可能であるが、ユーザーの体格や好みに応じて弾力を選択できるように、ユーザーや販売店で簡単に取り付けできるのが好ましいと言える。取り付けはビス止めや係合爪類を使用したスナップ係合など、種々の機構を採用できる。補助部材１７′は、樹脂製としたり板ばね製（金属板製）としたりすることができる。
【００５４】
(6).その他
本願発明は上記の各実施形態の他にも様々に具体化できる。例えば本願発明の適用対象は回転椅子には限らず、会議用に多用されているパイプ椅子の固定式椅子などにも適用できる。また、背板は必ずしも合成樹脂の一体成形品とする必要はなく、例えばオーバーハング部を板ばねにクッション材が張られた構造とすることも可能である。
【００５５】
バックサポートはフレーム構造を採用する必然性はないのであり、例えばシェル構造を採用することも可能である（要は、背板を支持できたら良い。）。ロッキング機構も種々のものを採用できる。背板は、バックサポートにビス等で固定しても良いことは言うまでもない。
【産業上の利用可能性】
【００５６】
本願発明は椅子に適用して有用性を発揮する。よって、産業上利用できる。
【符号の説明】
【００５７】
４  座
５  背もたれ
７  バックサポートの一例としてバックフレーム
８  背板
８ａ  オーバーハング部
８ｂ  ランバーサポート部
１２  バックフレームのサイドフレーム
１７  バックフレームの頂点部
１９  背板のサイドメンバー
２２  背板の横長サポート板
【図１】
0005508620.tif 000002
【図２】
0005508620.tif 000003
【図３】
0005508620.tif 000004
【図４】
0005508620.tif 000005
【図５】
0005508620.tif 000006
【図６】
0005508620.tif 000007
【図７】
0005508620.tif 000008
【図８】
0005508620.tif 000009
【図９】
0005508620.tif 000010
【図１０】
0005508620.tif 000011
【図１１】
0005508620.tif 000012
【図１２】
0005508620.tif 000013
【図１３】
0005508620.tif 000014
【図１４】
0005508620.tif 000015